(57)【特許請求の範囲】
【請求項１】
携帯電話であって、
Ｂｌｕｅｔｏｏｔｈ（登録商標）  Ｌｏｗ  Ｅｎｅｒｇｙプロトコルによって自動車を施錠・解錠、及び/又は始動させる認証コードと、
前記携帯電話を前記自動車に自動的にペアリング及び記録させるペアリングコードＡＰと、
前記自動車の近辺で前記携帯電話を自動的に認識させる識別コードと、
セキュアメモリ部材と、を備え、
前記携帯電話及び前記自動車は、ユーザーに前記認証コード、前記ペアリングコードＡＰ及び/又は前記識別コードの確認を要求することなしに、前記携帯電話と前記自動車とを自動的にペアにする自動ペアリングを実行し、
前記ペアリングコードＡＰは、前記携帯電話と前記自動車との間の最初のＢＬＥ通信の前に、リモートサーバーによって前記携帯電話に提供される、携帯電話。
【請求項２】
請求項１に記載の携帯電話であって、前記セキュアメモリ部材がＳＩＭカードである、携帯電話。
【請求項３】
Ｂｌｕｅｔｏｏｔｈ（登録商標）  Ｌｏｗ  Ｅｎｅｒｇｙプロトコルによって携帯電話と自動車とをペアリングする方法であって、
前記携帯電話が前記自動車に自動的に記録されるように、リモートサーバーによって前記携帯電話にペアリングコードを読み込むことであって、前記ペアリングコードは、前記携帯電話が前記自動車に自動的にペアリング及び記録できるようにし、前記携帯電話及び前記自動車は、ユーザーに認証コード、前記ペアリングコードＡＰ及び/又は識別コードの確認を要求することなしに、前記携帯電話と前記自動車とを自動的にペアリングする自動ペアリングプロセスを実行する、ペアリングコードを読み込むことと、
前記携帯電話によって、前記自動車との最初のＢＬＥ通信の間に、リモートサーバーから得た予め読み込まれた前記ペアリングコードを送信することと、
前記自動車によって、送信された前記ペアリングコードの有効性を確認することと、
前記有効性を確認した場合、前記自動車によって、前記携帯電話をペアとして記録することと、を備える、ペアリング方法。
【請求項４】
請求項３に記載のペアリング方法であって、
前記携帯電話のセキュアメモリ部材がＳＩＭカードである、方法。
【請求項５】
請求項３に記載のペアリング方法であって、
前記リモートサーバーは、ＧＳＭネットワーク上にある、方法。
【請求項６】
請求項３に記載のペアリング方法であって、
前記リモートサーバーによって、前記携帯電話と前記自動車との間の最初のＢＬＥ通信の前に、認証コードを前記携帯電話が読み込むことをさらに備え、
前記認証コードは、ＢＬＥプロトコルによって前記自動車を施錠・解錠、及び/又は始動させる、方法。
【請求項７】
請求項６に記載のペアリング方法であって、
前記リモートサーバーは、ＧＳＭネットワーク上にある、方法。
【請求項８】
請求項６に記載のペアリング方法であって、
前記携帯電話によって、予め読み込まれた前記認証コードを前記携帯電話のセキュアメモリ部材に記録することをさらに備える、方法。
【請求項９】
請求項８に記載のペアリング方法であって、
前記携帯電話の前記セキュアメモリ部材がＳＩＭカードである、方法。
【請求項１０】
請求項３に記載のペアリング方法であって、
前記リモートサーバーによって、前記携帯電話と前記自動車との間の最初のＢＬＥ通信の前に、識別コードを前記携帯電話に読み込むことを備え、
前記識別コードは、前記自動車の近辺で前記携帯電話を自動認識させる、方法。
【請求項１１】
請求項１０に記載のペアリング方法であって、
前記リモートサーバーは、ＧＳＭネットワーク上にある、方法。
【請求項１２】
請求項１０に記載のペアリング方法であって、
前記携帯電話によって、予め読み込まれた前記識別コードを前記携帯電話のセキュアメモリ部材に記録することをさらに備える、方法。
【請求項１３】
Ｂｌｕｅｔｏｏｔｈ（登録商標）  Ｌｏｗ  Ｅｎｅｒｇｙプロトコルによって携帯電話と自動車とをペアリングする方法であって、
リモートサーバーから前記携帯電話にＢＬＥペアリングコードを送信することと、
前記携帯電話によって、前記ＢＬＥペアリングコードを受信することと、
前記ＢＬＥペアリングコードを受信した後、前記ＢＬＥペアリングコードを前記携帯電話が読み込むことと、
前記ＢＬＥペアリングコードを前記携帯電話が読み込んだ後、前記自動車との最初のＢＬＥ通信を確立することにより、前記携帯電話が前記自動車と自動的にペアリング及び記録することと、
前記携帯電話と前記自動車との間の最初のＢＬＥ通信が確立した後、前記携帯電話によって、前記リモートサーバーからの前記ＢＬＥペアリングコードを前記自動車に送信することと、
前記自動車によって、前記リモートサーバーから前記携帯電話によって受信された前記ＢＬＥペアリングコードの有効性を決定することと、
前記自動車によって、送信された前記ＢＬＥペアリングコードの有効性を確認することと、
前記自動車によって、前記携帯電話をペアとして記録することと、
前記携帯電話によって、前記ＢＬＥペアリングコードを前記携帯電話のセキュアメモリ部材に記憶することと、を備え、
前記ＢＬＥペアリングコードの有効性は、前記リモートサーバーが前記ＢＬＥペアリングコードを送信した特定の携帯電話に基づき、
前記携帯電話及び前記自動車は、ユーザーに認証コード、前記ペアリングコード及び/又は識別コードの確認を要求することなしに、前記携帯電話と前記自動車とを自動的にペアにする自動ペアリングプロセスを実行する、ペアリング方法。
【請求項１４】
請求項１３に記載のペアリング方法であって、
前記携帯電話の前記セキュアメモリ部材がＳＩＭカードである、方法。
【請求項１５】
請求項１３に記載のペアリング方法であって、
前記リモートサーバーは、ＧＳＭネットワーク上にある、方法。
【請求項１６】
請求項１３に記載のペアリング方法であって、
前記自動車が前記ＢＬＥペアリングコードの有効性を確認した後、前記携帯電話が前記自動車を施錠・解錠できるようにする認証コードを前記携帯電話が読み込むことをさらに備えた、方法。
【請求項１７】
請求項１３に記載のペアリング方法であって、
前記自動車が前記ＢＬＥペアリングコードの有効性を確認した後、前記自動車の近辺で前記携帯電話を自動認識させる認証コードを前記携帯電話に読み込むことと、
前記自動車によって、前記携帯電話をペアとして記録することとをさらに備え、
前記認証コードは、前記自動車が前記リモートサーバーによって送信されたＢＬＥコード毎にペアとなった１つの携帯電話を発見することを可能にする、方法。
【請求項１８】
請求項１６に記載のペアリング方法であって、
前記リモートサーバーは、ＧＳＭネットワーク上にある、方法。
【請求項１９】
請求項１６に記載のペアリング方法であって、
前記携帯電話によって、前記認証コードを前記携帯電話のセキュアメモリ部材に記録することをさらに備える、方法。
【請求項２０】
請求項１６に記載のペアリング方法であって、
前記携帯電話の前記セキュアメモリ部材がＳＩＭカードである、方法。
【発明の詳細な説明】
【技術分野】
【０００１】
本発明は、Ｂｌｕｅｔｏｏｔｈ（登録商標）  Ｌｏｗ  Ｅｎｅｒｇｙ（ＢＬＥ）プロトコルによって自動車を施錠・解錠、及び/又は始動させる携帯電話であって、自動車と自動ペアリングが可能な携帯電話に関する。本発明はまた、Ｂｌｕｅｔｏｏｔｈ（登録商標）  Ｌｏｗ  Ｅｎｅｒｇｙ（ＢＬＥ）プロトコルによって自動車を施錠・解錠、及び/又は始動させる携帯電話とその自動車との自動ペアリングの方法にも関する。
【背景技術】
【０００２】
昨今の自動車は、制御装置が車内に固定された状態で配置されているものもある。このような制御装置は、ユーザーが所有する自動車付属品（電子キー、バッジなど）から発信されたリクエストを確実に管理し、発信されたリクエストが、自動車に対する何らかの命令を促すべきものであるかどうかを判断しなければならない（例えば、ドアの解錠、車の始動など）。このため、制御装置は、その自動車に関連する識別部材との間で低周波によってデータ通信を行う。
【０００３】
そのような識別部材は、「plip（キーレスエントリー）」とも呼ばれる、昨今の電子キーの類で、電子バッジの形状をしたハンズフリーキーなどがある。これら識別部材は識別コードを記憶しており、この識別コードが自動車に認識されることでペアとなる。つまり、この識別コードによって１台の自動車が複数の識別部材をそれぞれ認識できるように明確に対応付けられているということである。自動車に対して、ドアの解錠、自動車の始動などの命令を与えるデータ通信は、自動車の電子制御装置と識別部材との間で行われる。自動車に対する命令の他の例としては、「パーキング」命令が挙げられる。この「パーキング」命令では、運転手が車内にいなくとも自動車を駐車したり駐車スペースから出したりする、自動操作が行われる。
【０００４】
データ通信の第１の例は、リモート・キーレス・エントリ（ＲＫＥ）モードと表されるもので、ボタンを押すなどのアクションが電子キー型の識別部材に対して行われる。このアクションによって、その電子キーが通常４３３ＭＨｚの無線周波数（ＲＦ）信号を発信する。自動車の制御装置がそのＲＦ信号によって伝送される識別子を認識すると、自動車に対して、例えばドアの解錠などの適切な命令を発する。
【０００５】
データ通信の他の例は、パッシブ・エントリ/パッシブ・スタート（ＰＥＰＳ）モードと表されるもので、車外部のドアハンドルを握るなどのアクションが自動車に対して行われる。自動車がこのアクションを検出すると、その制御装置を介して、１２５ＫＨｚの低周波数信号を発信する。この信号は識別部材によって受信され、識別部材は通常４３３ＭＨｚの無線周波数（ＲＦ）信号を返す。これによって、識別部材が自動車の制御装置によって識別され、適切に認識されると、該自動車に対して適切な命令を発することができる。
【０００６】
そのようなシステムが正しく機能し、車の所有者によって習慣的に利用されているのならば、それはクローズドシステムとなる。つまり、識別部材と制御装置との間で特定の通信プロトコルが使用されるシステムである。よって、その自動車に対する他の識別部材として、携帯型で軽量だからといって、機能し得る他の機器を用いようとしても、既存のプロトコルの特殊性ゆえに、上述のような機能を利用できない。これは例えば、広く普及している携帯電話のような装置に当てはまる。
【０００７】
このため近年では、Ｂｌｕｅｔｏｏｔｈ（登録商標）や、より最近のＢｌｕｅｔｏｏｔｈ（登録商標）  Ｌｏｗ  Ｅｎｅｒｇｙ（ＢＬＥ）のような、よりオープンな通信プロトコルを使用するシステムが開発されている。ＢＬＥプロトコルは、特に既存のエネルギー資源を有効に活用するために最適化されている。ＢＬＥプロトコルはＢｌｕｅｔｏｏｔｈ（登録商標） Ｓｍａｒｔ（登録商標）という名称でも知られている。
【０００８】
そのようなシステムによって、今日では１台の車を複数のユーザーで共有することが可能になっている。このような共有操作は、特にレンタカー会社によって有効活用が可能であり、よく「カーシェアリング」と表される。
【０００９】
あるユーザーが自身の携帯電話を用いてある自動車を一時的に使用できるようにするには、そのユーザーが自身の携帯電話に認証コードを読み込ませる必要がある。その認証コードは、そのユーザーがその車の所有者のように、車の既存の機能全てにアクセスし、始動させ、及び/又は利用できるようにするコードである。
【００１０】
しかしながら、携帯電話に認証コードを読み込ませた後でも、問題がいくつか残っている。
【００１１】
一つには、その携帯電話は、読み込まれた認証コードによって車を施錠・解錠、及び/又は始動させる部材を有してはいるが、そのシステムのセキュリティレベルは、工場やディーラー店舗でペアとして対応付けられたキーのセキュリティレベルとは同じではない。
【００１２】
そのため、そのユーザーは自身の携帯電話をその自動車に記録してもらう必要がある。この作業は複雑であり、特に、その自動車の貸出人など、その自動車へのアクセスが既に認証済みの人が実際に立ち会わなくてはならない。
【００１３】
完全に自立して、つまり、レンタカー会社の社員の立ち合いなく、最大限のセキュリティレベルが保証された状態で車の借用ができることがより一層望まれる。
【００１４】
また、認証コードは携帯電話によって受信されるため、そのような機密データに対するセキュリティの問題がある。携帯電話のような装置は、従来のリモートアクセス識別子よりも潜在的にオープンだからである。
【００１５】
最後の問題として、例えばＢｌｕｅｔｏｏｔｈ（登録商標）  Ｌｏｗ  Ｅｎｅｒｇｙプロトコルによるハンズフリーアクセス型の通信が開始されると、ＢＬＥプロトコルにおいて自動車がマスター機器として機能する場合がある。この場合、自動車がその周囲にある全ての機器と通信し、その全てに認証リクエストを送信する。全ての機器に対してリクエストを送信することは無駄であり、認証されるべき機器のみ、つまり有効な認証コードを有する機器のみにリクエストを送ることが有益である。
【発明の概要】
【発明が解決しようとする課題】
【００１６】
よって、本発明は、Ｂｌｕｅｔｏｏｔｈ（登録商標）  Ｌｏｗ  Ｅｎｅｒｇｙ（ＢＬＥ）プロトコルによって自動車を施錠・解錠、及び/又は始動させる認証コードを備える携帯電話に関し、該携帯電話は、該自動車に該携帯電話を自動的に記録させるペアリングコード、及び/又は、該自動車の近辺で該携帯電話を自動的に認識させる識別コードを備えることを特徴とする。
【課題を解決するための手段】
【００１７】
本発明による携帯電話はさらに下記の特徴の１つ以上を、個別に、又は、組み合わせて有してもよい。
【００１８】
・前記携帯電話がさらにセキュアメモリ部材を備える。
・前記認証コードが前記セキュアメモリ部材に記憶される。
・前記ペアリングコードが前記セキュアメモリ部材に記憶される。
・前記識別コードが前記セキュアメモリ部材に記憶される。
・前記セキュアメモリ部材がＳＩＭカードである。
【００１９】
本発明はまた、携帯電話と自動車をペアリングする方法に関し、前記方法は、前記携帯電話が前記自動車に自動的に記録されるように、前記携帯電話にペアリングコードを読み込ませるステップを備えることを特徴とする。
【００２０】
本発明によるペアリング方法はさらに下記の特徴の１つ以上を、個別に、又は、組み合わせて有してもよい。
【００２１】
・前記方法は、前記携帯電話が前記自動車とＢＬＥ通信を開始し、事前に読み込まれた前記ペアリングコードを送信するステップと、前記自動車が送信された前記ペアリングコードの有効性を確認した場合、前記携帯電話をペアとして記録するステップとを備える。
・前記方法は、前記携帯電話が前記ペアリングコードを前記携帯電話のセキュアメモリ部材に記録するステップを備える。
・前記方法は、前記携帯電話が識別コードを前記携帯電話のセキュアメモリ部材に記録するステップを備える。
・前記ペアリングコードがＧＳＭネットワーク上のリモートサーバーから読み込まれる。
・前記識別コードがＧＳＭネットワーク上のリモートサーバーから読み込まれる。
・前記方法は、ＢＬＥプロトコルによって前記自動車を施錠・解錠、及び/又は始動させる認証コードを前記携帯電話に読み込ませる準備ステップを備える。
・前記認証コードがＧＳＭネットワーク上のリモートサーバーから読み込まれる。
・前記方法は、前記携帯電話が前記認証コードを前記携帯電話のセキュアメモリ部材に記録するステップを備える。
・前記携帯電話の前記セキュアメモリ部材がＳＩＭカードである。
・前記方法は、前記自動車の近辺で前記携帯電話を自動認識させる識別コードを前記携帯電話に読み込ませるステップを備える。
【００２２】
本発明の他の利点や特徴は、例として提供される説明と添付の図面により明らかにされる。
【図面の簡単な説明】
【００２３】
【図１】図１は、自動車用施錠・解錠アセンブリ、及び/又は始動アセンブリを示す図である。
【図２】図２は、第１の実施形態によるペアリング方法のステップを示すフローチャートである。
【図３】図３は、第２の実施形態によるペアリング方法のステップを示すフローチャートである。
【発明を実施するための形態】
【００２４】
これらの図において、同一の部材は同一の参照番号を使って示してある。
【００２５】
図１は、自動車２を施錠・解錠、及び/又は始動させるキー１を示す。
【００２６】
有利には、この施錠・解錠及び/又は始動キー１が、Ｂｌｕｅｔｏｏｔｈ（登録商標）  Ｌｏｗ  Ｅｎｅｒｇｙ（ＢＬＥ）のプロトコルに従って通信する通信インターフェイスを有してよい。キー１はさらに、車両のロック機構に対応した独自の施錠・解錠パターンを有する金属インサートを有してもよい。
【００２７】
施錠・解錠及び/又は始動キー１は、一般的に、工場やディーラー店舗で、認証コードＩＤを読み込ませることで設定される。この認証コードＩＤは、ＢＬＥプロトコルに従って施錠・解錠、及び/又は、始動を行うのに必要なものである。キー１はまた、自動車２の側でもペアとして記録される。つまり、これによって、キー１がＢＬＥプロトコルに従って最適なセキュリティレベルで自動車２と通信できることになる。
【００２８】
また本発明の原理によれば、工場やディーラー店舗で行われる設定を介さずに、携帯電話３のような装置を認証させて、ＢＬＥプロトコルに従って自動車２を施錠・解錠、及び/又は始動させるキーとして機能させることも可能である。
【００２９】
このような型の携帯電話は、通常、ＧＳＭ型の通信インターフェイスの他に、ＢＬＥプロトコルによる通信インターフェイスを備えている。
【００３０】
そのような携帯電話をＢＬＥプロトコルに従って自動車２を施錠・解錠、及び/又は始動させるキーとして操作するためには、認証コードＩＤをその携帯電話に読み込ませる。この認証コードＩＤは、ＢＬＥプロトコルに従って自動車２を施錠・解錠、及び/又は始動させるために必要である。
【００３１】
この設定において、自動車２の施錠・解錠、及び/又は始動は、記録後、即ち携帯電話３と自動車２のペアリング後と同じ通信セキュリティレベルでは行われない。
【００３２】
ユーザーが携帯電話３を自動車２に記録させるという複雑な手間を省くため、本発明では、携帯電話３と自動車２との間の最初のＢＬＥ通信に先立って、ペアリングコードＡＰを携帯電話３に読み込ませることを提案する。
【００３３】
こうして携帯電話３に読み込まれたペアリングコードＡＰは、自動車２の要請で、つまり携帯電話３と自動車２との間のＢＬＥ通信時に、携帯電話３によって自動的に送信される。一旦ペアリングコードＡＰが自動車２によって確認されると、携帯電話のＩＤが記録され、その後に起こる携帯電話３と自動車２との間の全てのＢＬＥプロトコル通信のための最適なセキュリティレベルが確保される。
【００３４】
第１の実施形態においては、ペアリングコードＡＰの送信は、携帯電話３と自動車２との間の最初の通信の最中に行われる。つまり、ユーザーが自動車２に初めて接近したときに行われる。このペアリングコードの確認段階における、携帯電話３と自動車２との間の長い通信時間を考慮すると、ユーザーはウォールの影響を受ける可能性がある。つまり、ユーザーが自動車２のドアハンドルを引く前に、解錠を許可するための通信が必ずしも全て完了しているわけではない。その一方で、２度目にドアを開けようと試みたときや、携帯電話３と自動車２との間のその後の通信においては、ペアリングコードＡＰの確認は不必要になり、よって、工場やディーラー店舗を出たキーの操作と同じ条件で行われる。
【００３５】
他の有利な実施形態においては、前もってペアリングコードの確認をせずに、認証コードＩＤに基づいて自動車２へのアクセスが許可される。ひとたびアクセスが許可されれば、ペアリングコードが確認され得る。これによってウォールの影響が回避され、同時に、携帯電話３と自動車２との間のその後の通信が最適なセキュリティレベルで行われることとなる。
【００３６】
自動車２と携帯電話３との間のＢＬＥ通信のある設定では、例えば、ハンズフリーでのアクセスを許可する場合、ＢＬＥプロトコルにおいて、自動車２がマスター機器として機能し、携帯電話がスレーブ機器として機能することがある。
【００３７】
この場合、自動車２は、その周囲に存在する全てのＢＬＥ機器をスキャンし、適切なサービスを提供するＢＬＥ機器を複数認識した場合、それらに対し、特に、認証リクエストを送信することとなる。しかし、それら全ての機器にリクエストを送信することは無駄であるため、本発明ではＢＬＥ機器に識別コードＶＩＮを読み込ませることを提案している。そうすることで、自動車がスキャンを終えた後に、適切なサービスを提供し、かつ有効な識別コードＶＩＮを送信済みの機器を認識すると、その機器のみに対して認証リクエストを送信することができる。
【００３８】
もちろん、記録された携帯電話３を削除することも可能である。この削除は、携帯電話の有効期限に基づいて自動的に行われてもよいし、携帯電話４の紛失や窃盗を考慮して手動で行われてもよい。
【００３９】
第１の実施形態によれば、ペアリングコードＡＰはリモートサーバー４から携帯電話３に読み込まれる。この操作は、例えば、携帯電話３のユーザーがレンタカー会社に対して自動車２を借りる予約を入れた後になされる。
【００４０】
他の有利な実施形態においては、識別コードＶＩＮもまたリモートサーバー４から携帯電話３に読み込まれる。
【００４１】
他の有利な実施形態においては、携帯電話３がＢＬＥプロトコルに従って自動車２を施錠・解錠、及び/又は始動させるのに必要な認証コードＩＤもまた、リモートサーバー４から携帯電話３に読み込まれる。
【００４２】
第１の実施形態によれば、ペアリングコードＡＰ、識別コードＶＩＮ、認証コードＩＤは、一回の同じ操作で読み込まれる。
【００４３】
代替的な実施形態においては、ペアリングコードＡＰ、識別コードＶＩＮ、及び認証コードＩＤは、別々の操作にて読み込まれる。
【００４４】
使用されるリモートサーバーは、通常、電話会社によって管理されるサーバーである。この場合、認証コードＩＤ及び/又はペアリングコードＡＰはＧＳＭネットワークによって有利に送信される。
【００４５】
また、リモートサーバーに相当するものがレンタカー会社から借り入れた自動車であってもよく、代替的な実施形態では、別の携帯電話であってもよい。
【００４６】
ひとたびコードが読み込まれた後、自動車２の窃盗につながり得るコードのハッキングの可能性を減らすため、コードを記憶するセキュアメモリ部材ＳＥＣが携帯電話３の内部に設けられている。
【００４７】
このようなセキュアメモリ部材ＳＥＣに記憶されるデータにアクセスするには、個人コードの入力が必要になる。その一方で、そのような部材は、いかなる物理的侵入をも未然に検知することができ、記憶されている秘密データを保護するため、自壊も可能となっている。
【００４８】
また代替的な実施形態においては、認証コードＩＤのみがセキュアメモリ部材ＳＥＣに記憶される。
【００４９】
その一方で、携帯電話４に既に内蔵されたＳＩＭカードをセキュアメモリ部材ＳＥＣとして使用することもできる。
【００５０】
次に、第１の実施形態による、携帯電話３と自動車２との間の自動ペアリング方法の主要なステップについて説明する（図３）。
【００５１】
準備ステップ１００では、携帯電話３は、Ｂｌｕｅｔｏｏｔｈ（登録商標）  Ｌｏｗ  Ｅｎｅｒｇｙ（ＢＬＥ）プロトコルに従って、自動車２を施錠・解錠、及び/又は始動させるのに必要な認証コードＩＤを読み込む。
【００５２】
次の第１ステップ１０１においては、携帯電話３を自動車２に自動記録させるために、携帯電話３がペアリングコードＡＰを読み込む。
【００５３】
次のステップ１０２では、携帯電話３が自動車２と通信を開始し、自動車２に対してペアリングコードＡＰを送信する。
【００５４】
自動車２は、送信されたペアリングコードＡＰが有効であると判断した場合、ステップ１０３において、携帯電話３をペアとして記録する。
【００５５】
ひとたび自動車２によってペアとして記録されると、携帯電話３は、ステップ１０４において、自動車２を施錠・解錠、及び/又は始動させるのに必要な認証コードＩＤを送信する。
【００５６】
図示しない他の好ましい実施形態においては、自動車２を施錠・解錠、及び/又は始動させるのに必要な認証コードＩＤを送信するステップ１０４を、携帯電話３をペアとして記録させるステップ１０２及び１０３に先立って行うことができる。
【００５７】
既に述べたように、この実施形態は、第１の実施形態による方法における、自動車への初回アクセス時に起こり得るウォールの影響を回避することができる。
【００５８】
次の有利なステップ１０５においては、携帯電話３が認証コードＩＤ、及び/又はペアリングコードＡＰをセキュアメモリ部材ＳＥＣに記録する。
【００５９】
好ましい実施形態においては、セキュアメモリ部材ＳＥＣは携帯電話のＳＩＭカードである。
【００６０】
第１の実施形態によれば、認証コードＩＤ、ペアリングコードＡＰを記録するためのステップである、ステップ１００及び１０１において、認証コードＩＤ及びペアリングコードＡＰがリモートサーバー４から携帯電話３に読み込まれる。この操作は、例えば、携帯電話３のユーザーがレンタカー会社に対して自動車２を借りる予約を入れた後に行われる。
【００６１】
第１の実施形態によれば、ペアリングコードＡＰ及び認証コードＩＤは、一回の同じ操作で読み込まれる。
【００６２】
別の実施形態においては、ペアリングコードＡＰ及び認証コードＩＤは、別々の操作で読み込まれる。
【００６３】
使用されるリモートサーバー４は、通常、電話会社によって管理されるサーバーである。
【００６４】
また、認証コードＩＤ及び/又はペアリングコードＡＰはＧＳＭネットワークを介して有利に送信されてもよい。
【００６５】
リモートサーバーに相当するものがレンタカー会社から借りた自動車であってもよく、代替的な実施形態では、別の携帯電話であってもよい。
【図１】
0006594880.tif 000002
【図２】
0006594880.tif 000003
【図３】
0006594880.tif 000004